(57)【要約】  映像処理部（１５０）における絞り制御部（１５５）は、入力される映像信号の明るさを示す情報に応じて出力する光量を絞り（１２１）を用いて制限する。その際に、絞り制御部（１５５）は、絞り（１２１）の開度を検出する絞り駆動部（１６０）によって、検出された絞り（１２１）の検出開度と、入力された映像信号の明るさを示す情報に基づいて定められる絞り（１２１）の目標開度との差に応じた速度に基づいて、絞り（１２１）の開度を制御する。
2011007453.tif 000002
【特許請求の範囲】
【請求項１】
入力される映像信号の明るさを示す情報に応じて出力する光量について絞り部を用いて制限する際に、前記絞り部の開度を検出する開度検出部によって、検出された前記絞り部の検出開度と、入力された映像信号の明るさを示す情報に基づいて定められる前記絞り部の目標開度との差に応じた前記速度に基づいて、前記絞り部の開度を制御する制御部
を備えることを特徴とする絞り制御回路。
【請求項２】
前記制御部は、
検出された前記絞り部の検出開度から、入力された映像信号の明るさを示す情報に基づいて定められる前記絞り部の目標開度に前記絞り部の開度を変化させる間に、前記入力される映像信号の明るさを示す情報に基づいて前記絞り部の目標開度が新たに検出された場合は、前記新たに検出された目標開度に応じて前記絞り部の開度を制御する
ことを特徴とする請求項１に記載の絞り制御回路。
【請求項３】
前記制御部は、
前記絞り部の検出開度と前記絞り部の目標開度との差が大きくなるほど、前記開度を速く変化させ、該差が小さくなるほど、前記開度を遅く変化させるように前記絞り部の開度を制御する
ことを特徴とする請求項１又は請求項２に記載の絞り制御回路。
【請求項４】
前記制御部は、
検出された前記絞り部の検出開度が、入力された映像信号の明るさを示す情報に基づいて定められる前記絞り部の目標開度に達したことを検出すると、前記絞り部の開度の調整を停止させる
ことを特徴とする請求項１から請求項３のいずれかに記載の絞り制御回路。
【請求項５】
前記入力される映像信号に基づいて該映像信号の明るさを示す情報の平均値を導く平均映像レベル検出部と、
をさらに備え、
前記制御部は、
前記平均値に基づいて前記絞り部の開度を制御する
ことを特徴とする請求項１から請求項４のいずれかに記載の絞り制御回路。
【請求項６】
入力される映像信号の明るさを示す情報に応じて出力する光量について絞り部を用いて制限する際に、前記絞り部の開度を検出する開度検出部によって、検出された前記絞り部の検出開度と、入力された映像信号の明るさを示す情報に基づいて定められる前記絞り部の目標開度との差に応じた前記速度に基づいて、前記絞り部の開度を制御する制御部
を備えることを特徴とするプロジェクター装置。
【請求項７】
入力される映像信号の明るさを示す情報に応じて出力する光量について絞り部を用いて制限する際に、前記絞り部の開度を検出する開度検出部によって、検出された前記絞り部の検出開度と、入力された映像信号の明るさを示す情報に基づいて定められる前記絞り部の目標開度との差に応じた前記速度に基づいて、前記絞り部の開度を制御する手順
をコンピュータに実行させることを特徴とする絞り制御プログラム。
【請求項８】
入力される映像信号の明るさを示す情報に応じて出力する光量について絞り部を用いて制限する際に、前記絞り部の開度を検出する開度検出部によって、検出された前記絞り部の検出開度と、入力された映像信号の明るさを示す情報に基づいて定められる前記絞り部の目標開度との差に応じた前記速度に基づいて、前記絞り部の開度を制御する過程
を含むことを特徴とする絞り制御方法。
【発明の詳細な説明】
【技術分野】
【０００１】
本発明は、入力される映像信号に応じて出力する光量を制御する絞り制御回路、プロジェクター装置、絞り制御プログラム及び絞り制御方法に関する。
【背景技術】
【０００２】
プロジェクター装置では、光源からの光量について入力された映像信号に応じて光変調素子を用いて変調し、出力する光量を変化させて映像信号に基づいた画像を表示する。光変調素子による光の変調率だけでは、必要とされるコントラスト比を確保しにくい。不足する光の変調率を補ってコントラスト比を高めるために、光変調素子に入力する光量、或いは、光変調素子から出力される光量を制御する技術がある。光量の制御は、レンズと絞りを組み合わせた光学系と、その絞りの開口率を調整する制御部とにより実現する（例えば、特許文献１参照）。
【先行技術文献】
【特許文献】
【０００３】
【特許文献１】特開２００６−２８５０８９号公報
【発明の概要】
【発明が解決しようとする課題】
【０００４】
しかしながら、特許文献１による技術では、入力される映像信号に応じて出力する光量を調整しているが、映像信号が変化する場合の応答性や安定性について記されていない。
一般に、表示する映像が切り替わる場合には、映像信号のレベルが大きく変化する。例えば、明暗が大きく変化して、輝度の高い映像から輝度の低い映像に切り替わった場合に、表示される画面の明るさが不自然に変化して表示されることがある。
映像信号の切り替えは電気的に行われ瞬時に切り替わるが、絞りを用いて光量を制御している場合には、絞りの機械的な応答時間が必要になる。この応答時間の差が映像表示に影響を与えることになる。この応答時間を短くするために絞りの開口率を制御する応答性を高めると、映像信号の微小な変化についても追従したり、急峻な変化では過応答による振動が生じて安定となるまでの時間が長くなったりする。その結果、出力される光量に変動が生じて、表示される映像の品質が低下するという問題がある。【０００５】
本発明は、上記問題を解決すべくなされたもので、その目的は、入力される映像信号に対応して追従する応答性を確保しつつ、出力される光量の安定性を確保する絞り制御回路、プロジェクター装置、絞り制御プログラム及び絞り制御方法を提供することにある。
【課題を解決するための手段】
【０００６】
上記問題を解決するために、本発明は、入力される映像信号の明るさを示す情報に応じて出力する光量について絞り部を用いて制限する際に、前記絞り部の開度を検出する開度検出部によって、検出された前記絞り部の検出開度と、入力された映像信号の明るさを示す情報に基づいて定められる前記絞り部の目標開度との差に応じた前記速度に基づいて、前記絞り部の開度を制御する制御部を備えることを特徴とする絞り制御回路である。
【発明の効果】
【０００７】
本発明によれば、絞り制御回路における制御部が、入力される映像信号の明るさを示す情報に応じて出力する光量について絞り部を用いて制限する際に、絞り部の開度を検出する開度検出部によって、検出された絞り部の検出開度と、入力された映像信号の明るさを示す情報に基づいて定められる絞り部の目標開度との差に応じた前記速度に基づいて、絞り部の開度を制御する。
これにより、制御部は、検出された検出開度と、映像信号の明るさに基づいて定められる目標開度との差に応じた速度で、絞り部の開度を調整して出力する光量を制限できることから、入力される映像信号に対応して追従する応答性を確保しつつ、絞り部から出力される光量の安定性を確保することができる。
【図面の簡単な説明】
【０００８】
【図１】本実施形態によるプロジェクター装置の概略ブロック図である。
【図２】同実施形態におけるプロジェクター装置において出力する光量を制御する制御系のブロック図である。
【図３】同実施形態における絞り位置テーブルを示す図である。
【図４】同実施形態における絞り位置移動量とモーター速度の関係を示すモーター速度テーブルを示す図である。
【図５】同実施形態における絞り位置の移動を示すタイミングチャートである。
【図６】同実施形態における絞り位置制御の処理手順をフローチャートである。
【発明を実施するための形態】
【０００９】
以下、本発明の一実施形態によるプロジェクター装置について図面を参照して説明する。
図１は、本実施形態によるプロジェクター装置の概略ブロック図である。
プロジェクター装置１００は、接続される映像出力装置２００から映像信号が入力され、この入力される映像信号に基づいて、出力する光の強度を変調して出力する。
この図に示されるプロジェクター装置１００は、光源１１０、絞りユニット１２０、空間光変調器１３０、プロジェクションレンズ１４０、映像処理部１５０及び絞り駆動部１６０を備える。
【００１０】
光源１１０は、プロジェクター装置１００から投射する光を出力する光源であり、例えばランプやＬＥＤ（Light Emitting Diode）などである。絞りユニット１２０は、光源１１０から出力される光の光路の一部を遮蔽して光源からの光量を調整する。絞りユニット１２０は、光路を遮蔽する範囲を段階的に設定することが可能であり、本実施形態では１００段階の設定が可能であり、その設定に応じて、出力される光量を調整することが可能である。空間光変調器１３０は、光源１１０から出力される光に対して光量や偏光などを調整して、出力する光の強度を入力された映像信号で変調する。空間光変調器１３０を構成する光素子の例としては液晶表示素子やＤＭＤ（デジタルミラーデバイス）などがある。プロジェクションレンズ１４０は、出力する光による投射画像を、スクリーンに結像させるためのレンズを含む光学部材である。
【００１１】
映像処理部１５０は、映像出力装置２００から入力される映像信号に基づいて、絞りユニット１２０における光路を遮蔽する範囲を制御して、絞りユニット１２０に光の遮蔽量の調整を行わせると共に、空間光変調器１３０における光の強度変調を制御して、空間光変調器１３０に画像を形成する光の強度変調の調整を行わせる。
絞り駆動部１６０は、映像処理部１５０から出力されるモーター制御信号に応じて、絞りユニット１２０のモーター１２２を駆動させるための駆動信号を出力する。
【００１２】
図２は、プロジェクター装置から出力される光量を制御する制御系のブロック図である。
この図に示されるプロジェクター装置１００は、出力する光量を制御する制御系として、絞りユニット１２０、空間光変調器１３０、映像処理部１５０及び絞り駆動部１６０を備える。図１と同じ構成には同じ符号を付す。
【００１３】
絞りユニット１２０は、絞り１２１及びモーター１２２を備える。
絞り１２１は、光源１１０（図１）から出力される光を調整する「絞り」の本体部である。絞り１２１は、モーター１２２の軸と機械的に連動する複数の可動羽からなり、モーター１２２の回転に応じて可動羽が作動し、絞り位置に対応した絞りの開度（開口率）が定められる。
モーター１２２は、絞り１２１の絞りの開度を制御する。モーター１２２は、絞り駆動部１６０から入力される制御量に応じて駆動され、その回転軸の回転が伝達されて絞り１２１の可動羽が作動して絞り１２１の開度が調整される。また、モーター１２２は絞り１２１の開度を示す絞り位置に対応するモーター回転位置を記憶しているものとする。
【００１４】
プロジェクター装置１００における映像処理部１５０は、スケーリング処理部１５１、空間光変調器駆動処理部１５２、ＡＰＬ取得部１５３、メモリ部１５４及び絞り制御部１５５を備える。
映像処理部１５０において、スケーリング処理部１５１は、入力される映像信号の解像度に応じて内部処理に必要な解像度の信号に変換する処理を行う。スケーリング処理部１５１は、入力された映像信号のタイミングに同期する同期信号を生成し、その同期信号にしたがって入力された映像信号のサンプリング処理をその同期信号にしたがって行う。スケーリング処理部１５１は、そのサンプリングされた情報に基づいて、予め定められた解像度に変換するスケーリング変換を行う。
空間光変調器駆動処理部１５２は、スケーリング処理部１５１によって変換された信号に基づいて、空間光変調器１３０を構成する液晶表示素子（或いは、ＤＭＤ）を駆動する信号を出力する。
【００１５】
ＡＰＬ取得部１５３は、映像出力装置２００から入力される映像信号の平均映像レベル（以後「ＡＰＬ（Average Picture Level）」と呼称）を取得する。ＡＰＬ取得部１５３は、ＡＰＬの演算処理を映像信号のフレームごとに行い、フレームごとに導かれるＡＰＬ情報を絞り制御部１５５に出力する。
メモリ部１５４は、変換処理で参照するテーブルの情報や判定処理で基準とする閾値情報などの予め定めたデータを格納し、また、演算処理などで参照する変数を一時的に格納する記憶領域が配置される記憶部である。また、メモリ部１５４は、絞り制御部１５５に含まれるコンピュータを動作させるプログラムを記憶する。
絞り制御部１５５は、ＡＰＬ取得部１５３からＡＰＬ情報を取得し、メモリ部１５４に格納してあるデータを参照して、絞り駆動部１６０にモーター制御信号を出力し、プロジェクター装置１００の各部を制御する。また、絞り制御部１５５は、絞り駆動部１６０から入力されるモーター回転位置の情報から、その状態における絞り１２１の絞り位置を取得する。
【００１６】
絞り駆動部１６０は、絞り制御部１５５から出力されるモーター制御信号を受け、モーター１２２の回転方向及び回転速度を制御する。また、絞り駆動部１６０は、モーター１２２が記憶する、絞り１２１の絞り位置を参照するためのモーター回転位置を参照し、絞り制御部１５５に入力する。
【００１７】
図を参照し、本実施形態の絞りの制御方法について説明する。
図２で示したように、ＡＰＬ取得部１５３は、入力された映像信号の明るさ情報を常に算出する。本実施形態では、ＡＰＬを例示して説明するが、映像信号の輝度分布（ヒストグラム）など、ＡＰＬ以外の明るさを示す情報であってもよい。
絞り制御部１５５は、ＡＰＬ取得部１５３が検出した明るさ情報を元に、絞り駆動部１６０に制御信号を出力し、モーター１２２を作動させ、絞り１２１を駆動する。絞り制御部１５５は、基本的には入力される映像信号のＡＰＬが低い場合には絞り１２１を絞り、ＡＰＬが高い場合には絞り１２１を開くように制御する。
【００１８】
ここで、絞り制御部１５５が、ＡＰＬの値に応じて絞り１２１の開度、すなわち絞り位置を定める絞り位置テーブルを定義する。
図３は、絞り位置テーブルを示す図である。
この図に示された絞り位置テーブルでは、ＡＰＬレベルをキーとして、絞り位置が参照できる。ＡＰＬレベルとは、ＡＰＬ取得部１５３に入力される映像信号に基づいて算出された、その映像信号のＡＰＬに対応する値である。そのＡＰＬレベルは、レベル１００％（パーセント）は画面全体が白の映像の状態であり、０％は画面全体が黒の映像の状態である。映像信号のレベルが定格電圧範囲であれば、検出されるＡＰＬレベルは０から１００％の値になる。絞り位置については、絞り位置が１００の場合に絞り１２１を全開にした状態を示し、光源１１０の光量を１００％空間光変調器１３０へ出力する状態を示す。また、絞り位置が１０の場合には、空間光変調器１３０へ伝わる光量を絞り１２１を全開にした状態の１０％となるように絞り１２１が絞られた状態を示す。
【００１９】
本実施形態で示す例では、ＡＰＬに応じて１０段階に設定した絞り位置により絞り制御を行う。すなわち、ＡＰＬレベルが９０％以上であれば、絞り位置を「１００」とする。ＡＰＬレベルが９０％未満８０％以上であれば、絞り位置を「９０」とする。ＡＰＬレベルが８０％未満７０％以上であれば、絞り位置を「８０」とする。ＡＰＬレベルが７０％未満６０％以上であれば、絞り位置を「７０」とする。ＡＰＬレベルが６０％未満５０％以上であれば、絞り位置を「６０」とする。ＡＰＬレベルが５０％未満４０％以上であれば、絞り位置を「５０」とする。ＡＰＬレベルが４０％未満３０％以上であれば、絞り位置を「４０」とする。ＡＰＬレベルが３０％未満２０％以上であれば、絞り位置を「３０」とする。ＡＰＬレベルが２０％未満１０％以上であれば、絞り位置を「２０」とする。ＡＰＬレベルが１０％未満０％以上であれば、絞り位置を「１０」とする。
【００２０】
また、本実施形態では、絞り１２１を移動させる移動量に応じて、モーター１２２の速度を変化させる。
図４は、絞り位置移動量とモーター速度の関係を示すモーター速度テーブルを示す図である。
この図に示されたモーター速度テーブルでは、絞り位置移動量をキーとして、その場合に選択される絞りの移動速度、すなわちモーター１２２の回転速度を参照できる。
【００２１】
本実施形態で示す例では、絞り位置移動量に応じて１０段階に設定したモーター速度により絞り制御を行う。すなわち、絞り位置移動量が９０以上であれば、モーター速度を「速度１０」とする。絞り位置移動量が９０未満８０以上であれば、モーター速度を「速度９」とする。絞り位置移動量が８０未満７０以上であれば、モーター速度を「速度８」とする。絞り位置移動量が７０未満６０以上であれば、モーター速度を「速度７」とする。絞り位置移動量が６０未満５０以上であれば、モーター速度を「速度６」とする。絞り位置移動量が５０未満４０以上であれば、モーター速度を「速度５」とする。絞り位置移動量が４０未満３０以上であれば、モーター速度を「速度４」とする。絞り位置移動量が３０未満２０以上であれば、モーター速度を「速度３」とする。絞り位置移動量が２０未満１０以上であれば、モーター速度を「速度２」とする。絞り位置移動量が１０未満  ０を超える値であれば、モーター速度を「速度１」とする。
【００２２】
モーター速度は、「速度１」から「速度１０」までの１０段階で設定され、絞り位置の移動量が大きいほど移動速度を早くするように定められる。つまり、「速度１」が一番遅く、「速度１０」が最速となる。なお、絞り位置テーブルを参照し導かれた絞り位置移動量が「０」となった場合には、絞り位置の移動が不要である。その場合には、絞り制御部１５５は、モーター１２２を回転させずに、停止する。
【００２３】
例えば、入力される映像信号のＡＰＬに対応するＡＰＬレベルが１５％の場合には、図３に示された絞り位置テーブルを参照すると、絞り位置は「２０」である。この絞り位置「２０」を現在の絞り位置とする。その後、画像の変化に伴ってＡＰＬが変化しＡＰＬレベルが８５％となった場合、絞り位置は「９０」となる。この絞り位置「９０」は、画像の変化に伴って適正な絞り位置が変化して、絞り位置を変更する新たな目標となる絞り位置が示される。絞り位置「２０」から絞り位置「９０」までの絞り位置移動量は「７０」である。図４に示されたモーター速度テーブルを参照すると、絞り位置移動量「７０」に対応するモーター速度は、「速度８」が選択される。モーター速度は「速度１」から「速度１０」まであるが、移動量が大きいほど速度を早くする。これにより、映像信号に大きな変化があった場合でも、絞り１２１の調整時間を短縮することができる。
【００２４】
絞りの位置は、入力される映像信号に対して、即時に反映されることが望ましいが、ＡＰＬの変化が少ない場合においても高速で絞り位置を移動させると、光量の変化が目立つようになることから目触りとなる。
図４のモーター速度テーブルに示したように、絞り制御部１５５は、モーター速度は絞り位置の移動量が小さいほど速度を遅くして、ＡＰＬの変化が小さい場合には絞りを低速で動かすように、絞り位置の移動量に応じてモーターの速度を変化させる。また、絞り制御部１５５は、段階的に絞り１２１の位置を定めることにより、ＡＰＬの変化が少なく同じ絞り位置と判定されると、絞り１２１の開度を変化させない。これにより、映像処理部１５０は、明るさの変化の少ない映像が表示されている場合に、出力する光量が変化して表示される像の明るさが頻繁に変化することを避けることができる。
【００２５】
図３に示した絞り位置テーブル及び図４に示したモーター速度テーブルの情報は、メモリ部１５４に格納される。ＡＰＬ取得部１５３からＡＰＬ情報を取得した絞り制御部１５５は、メモリ部１５４を参照し、ＡＰＬの変化量に応じて絞り駆動部１６０に対して制御データを含むモーター制御信号を送出する。
【００２６】
映像信号の変化にしたがった絞り位置の移動についてタイミングチャートを参照し説明する。
図５は、絞り位置の移動を示すタイミングチャートである。
この図の縦軸が、入力される映像信号に基づいた絞り位置を示し、縦軸の値が高いほど絞り１２１が開放され開度が高いことを示し、横軸が時間の経過を示す。
本実施形態では、入力される映像信号のＡＰＬが変化に応じて、絞り１２１が制御される。この図では、映像信号の変化に応じてＡＰＬが３回変化し、その変化に伴って絞り１２１の絞り位置が移動して、その開度が変化する経過を示す。
絞り位置の初期状態を示す初期位置３５０は、絞り１２１が全開の状態を示す。すなわち、絞り位置「１００」の状態である。また、グラフの傾きは、絞り位置を移動させる速さ、すなわち絞りの開度が変化する速さを示しており、傾きが大きいほど絞り位置の移動が早いことを示している。すなわち、開度の変化が大きいことを示している。
【００２７】
入力される映像信号のＡＰＬは、ＡＰＬ取得部１５３によって繰り返し判定される。
まず、時刻ｔ１における映像信号のＡＰＬは、入力されている映像が白い表示を行う初期状態から暗い映像に変化して低下した状態とする。時刻ｔ１においてＡＰＬ取得部１５３は、その映像信号のＡＰＬを取得して判定を行い、その映像信号のＡＰＬが下がったと判定される。時刻ｔ１においてＡＰＬ取得部１５３によって検出されたＡＰＬに基づいて、絞り制御部１５５が図３に示した絞り位置テーブルを参照して導いた絞り位置が、制御目標とされる移動位置３５１となる。絞り制御部１５５は、絞り１２１の絞り位置を制御して初期位置３５０から移動位置３５１まで移動させる。その間の移動では、絞り制御部１５５は、図４に示されたモーター速度テーブルを参照して導いたモーター速度でモーター１２２を回転させる。絞り制御部１５５は、絞り位置が、移動位置３５１に到達すると、モーター１２２の回転を停止する（時刻ｔ２）。絞り１２１の絞り位置は、移動位置３５１で停止した状態のままで、次のＡＰＬの状態判定まで保持される。
【００２８】
その間に入力されている映像は、さらに暗い映像に変化し、さらにＡＰＬが低下した常態に変化したとする。
時刻ｔ３において、ＡＰＬ取得部１５３は、再びＡＰＬの状態を検出する。時刻ｔ３においてＡＰＬ取得部１５３によって検出されたＡＰＬに基づいて、絞り制御部１５５は、図３に示した絞り位置テーブルを参照して導いた絞り位置を制御目標とする移動位置３５２とする。絞り制御部１５５は、絞り１２１の絞り位置を制御して移動位置３５１から移動位置３５２に向けて移動を開始させる。その間の移動では、絞り制御部１５５は、図４に示されたモーター速度テーブルを参照して導いたモーター速度で、モーター１２２を回転させる。
【００２９】
ここで、絞り位置が移動位置３５２に到達する前に、ＡＰＬが変化して目標とする絞り位置が変化したとする。その際に入力されている映像は、時刻ｔ１で判定されたＡＰＬより明るい映像に変化したと仮定する。
時刻ｔ４において、ＡＰＬ取得部１５３は、再びＡＰＬの状態を検出する。時刻ｔ４において、検出されたＡＰＬに基づいて導かれた絞り位置が、制御目標とされる移動位置３５３となる。この移動位置３５３は、移動位置３５１よりも絞り１２１の開度を高く設定する位置にあたる。
【００３０】
例えば、時刻ｔ４においてＡＰＬの状態が判定されても、移動位置３５２までの絞り位置移動中にＡＰＬに変化がなければ、絞り位置の移動が継続し時刻ｔ５には移動位置３５２に到達する。しかし、本実施形態では、時刻ｔ４においてＡＰＬの変化が検出されたため、時刻ｔ４にて時刻ｔ３に開始した移動位置３５２への移動を中断する。そして、絞り制御部１５５は、新たに設定された移動位置３５３を絞り位置の制御目標として設定し、移動位置３５３へ絞り１２１の絞り位置を移動させる制御を開始する。
【００３１】
時刻ｔ４において、移動位置３５３へ絞り位置を移動させるモーター１２２のモーター速度を決定するにあたり、絞り制御部１５５は、絞り駆動部１６０を参照する。絞り制御部１５５は、その参照により現在の絞り位置である取得位置３５４を絞り駆動部１６０から取得する。
絞り制御部１５５は、この場合の絞り位置移動量Ａを式（１）にしたがって算出する。
【００３２】
絞り位置移動量Ａ＝（移動位置３５３）−（取得位置３５４）    ・・・  （１）
【００３３】
仮に、現在の絞り位置を取得しなかった場合の絞り位置移動量Ｂを式（２）に示す。
【００３４】
絞り位置移動量Ｂ＝（移動位置３５３）−（移動位置３５２）    ・・・  （２）
【００３５】
ここで注目すべきことは、時刻ｔ４における状態では、絞り位置移動量Ａは、絞り位置移動量Ｂより小さい値となる。式（３）の関係が成立する。
【００３６】
絞り位置移動量Ｂ  ＞  絞り位置移動量Ａ          ・・・  （３）
【００３７】
絞り制御部１５５が参照するモーター速度テーブル（図４）に示したように、絞り位置移動量とモーター速度は移動量が少ないほどモーター速度が遅く設定されている。そのため、絞り位置移動量Ｂの場合よりも、移動量が少ない絞り位置移動量Ａの場合の方が、絞り制御部１５５は、遅いモーター速度を選択する。
映像信号の変動が継続し、ＡＰＬが常に上下している場合であっても、絞り制御部１５５は、現在の絞り位置を取得することにより、絞り１２１の位置を頻繁に追従させずにすむことができる。
【００３８】
続いて、本実施形態における絞り位置制御の処理の手順を説明する。
図６は、本実施形態における絞り位置制御の処理手順をフローチャートである。
ＡＰＬ取得部１５３は、入力される映像信号のレベルを算出する。映像信号のレベルの算出は、ＡＰＬを求めることにより行われる。ＡＰＬ取得部１５３は、求めたＡＰＬを絞り制御部１５５に入力する（ステップＳａ１）。
絞り制御部１５５は、ＡＰＬ取得部１５３から入力された映像信号のＡＰＬに基づいて絞り位置を移動させる目標絞り位置を取得する。絞り制御部１５５は、メモリ部１５４に記憶されている絞り位置テーブル（図３）を、ＡＰＬをキーにして参照し、目標絞り位置を取得する（ステップＳａ２）。
次に、絞り制御部１５５は、絞り駆動部１６０を参照し、現在の絞り位置の情報を現在絞り位置として取得する（ステップＳａ３）。
そして、絞り制御部１５５は、先に取得された目標絞り位置と現在絞り位置の差分情報から、目標絞り位置までの絞り位置の移動量を算出する（ステップＳａ４）。
【００３９】
絞り制御部１５５は、算出された絞り位置の移動量から、絞り位置の移動を行うか否かの判定を行う。絞り位置の移動を行わないと判定された場合には、今回の絞り移動処理では、絞り位置の移動は行わずに終了する（ステップＳａ５）。
ステップＳａ５の判定の結果、絞り位置の移動を行うと判定された場合には、絞り制御部１５５は、絞り位置の移動速度を、駆動するモーター１２２を回転させる速度として取得する。絞り制御部１５５は、メモリ部１５４に記憶されているモーター速度テーブル（図４）を、絞り位置の移動量をキーにして参照して、絞り位置の移動量に対応するモーター速度を取得する。絞り制御部１５５は、取得されたモーター速度に基づいてモーター１２２を駆動することにより、連動する絞り１２１の絞り位置の移動速度を制御する（ステップＳａ６）。
【００４０】
次に、絞り制御部１５５は、取得されたモーター速度にしたがって、モーター１２２を回転させ、絞り１２１を目標絞り位置に向け移動させる（ステップＳａ７)。
そして、絞り制御部１５５は、絞り駆動部１６０を参照し現在の絞り位置を取得し、定められた目標絞り位置に到達したか否かの判定を行う。判定の結果、現在の絞り位置が定められた目標絞り位置に到達していないと判定するまで、ステップＳａ７からの処理を繰り返す（ステップＳａ８）。
【００４１】
ステップ８の判定の結果、現在の絞り位置が定められた目標絞り位置に到達したと判定すると、絞り制御部１５５は、モーター１２２の駆動を停止し、今回の絞り移動処理を終了させる（ステップＳａ９）。
【００４２】
なお、ＡＰＬ取得部１５３がプロジェクター装置１００への映像信号入力が停止していることを検出した場合、絞り制御部１５５がプロジェクター装置１００の映像表示を中断させる外部入力を検出した場合、或いは、絞り制御部１５５が設定により、絞り移動処理による光源１１０の光量制御を中断させる場合には、絞り制御部１５５は、上記に示した絞り移動処理を中断する。特に、絞り移動処理を中断する条件に該当しない場合には、絞り制御部１５５は、絞り制御部１５５が備えるシステムタイマーによって定められる周期で、定期的に絞り移動処理を行う。
目標絞り位置に到達せずにステップＳａ７による絞り位置の移動中であっても、絞り制御部１５５は、システムタイマーによって定められる周期による割込み処理を受付けて、次の絞り移動処理を開始する。開始した絞り移動処理によって、異なる目標絞り位置が所得された場合には、絞り制御部１５５は、目標絞り位置と移動速度を、新たに取得された目標絞り位置と移動速度に変更して、絞り位置の移動を再開する。
【００４３】
このように、上記に示した絞り位置制御の手順では、目標絞り位置に到達するとその時点で、絞り移動処理を終了させることから、目標位置近傍での不要な追従動作を回避できる。これにより、絞り制御部１５５が映像信号の微小な変化に過剰に反応して絞り位置を制御することを回避することができるため、プロジェクター装置１００では、光量の安定した表示を行うことが可能となる。
【００４４】
なお、本発明の実施形態によれば、絞り制御部１５５が、入力される映像信号の明るさを示す情報に応じて出力する光量について絞り１２１を用いて制限する際に、絞り１２１の開度を検出する開度検出部によって、検出された絞り１２１の検出開度と、入力された映像信号の明るさを示す情報に基づいて定められる絞り１２１の目標開度との差に応じた速度に基づいて、絞り１２１の開度を制御する。
これにより、絞り制御部１５５は、検出された検出開度と、映像信号の明るさに基づいて定められる目標開度との差に応じた速度で、絞り１２１の開度を調整して出力する光量を制限できることから、入力される映像信号に対応して追従する応答性を確保しつつ、絞り部から出力される光量の安定性を確保することができる。
【００４５】
また、本実施形態に示される絞り制御部１５５は、検出された絞り１２１の検出開度から、入力された映像信号の明るさを示す情報に基づいて定められる絞り１２１の目標開度に絞り１２１の開度を変化させる間に、入力される映像信号の明るさを示す情報に基づいて絞り１２１の目標開度が新たに検出された場合は、新たに検出された目標開度に応じて絞り１２１の開度を制御する。
これにより、絞り制御部１５５は、検出開度から目標開度に絞り１２１の開度を変化させる間に、入力される映像信号の明るさに基づいて目標開度が新たに検出された場合は、新たに検出された目標開度に応じて絞り１２１の開度を制御することから、入力される映像信号に対応して追従する応答性を確保しつつ、絞り部から出力される光量の安定性を確保することができる。
【００４６】
また、本実施形態に示される絞り制御部１５５は、絞り１２１の検出開度と絞り１２１の目標開度との差が大きくなるほど、開度を速く変化させ、その差が小さくなるほど、開度を遅く変化させるように絞り１２１の開度を制御する。
これにより、絞り制御部１５５は、検出開度と目標開度との差が大きくなるほど、開度を速く変化させ、その差が小さくなるほど、開度を遅く変化させるように絞り１２１の開度を制御することから、入力される映像信号に対応して追従する応答性を確保しつつ、絞り部から出力される光量の安定性を確保することができる。
【００４７】
また、本実施形態に示される絞り制御部１５５は、検出された絞り１２１の検出開度が、入力された映像信号の明るさを示す情報に基づいて定められる絞り１２１の目標開度に達したことを検出すると、絞り１２１の開度の調整を停止させる。
これにより、絞り制御部１５５は、検出開度が、目標開度に達したことを検出すると、絞り１２１の開度の調整を停止させることから、入力される映像信号に対応して追従する応答性を確保しつつ、絞り部から出力される光量の安定性を確保することができる。
【００４８】
また、本実施形態に示されるＡＰＬ取得部１５３は、入力される映像信号に基づいて該映像信号の明るさを示す情報の平均値を導く。絞り制御部１５５は、映像信号の明るさを示す情報の平均値に基づいて絞り１２１の開度を制御する。
これにより、絞り制御部１５５は、ＡＰＬ取得部１５３によって導かれた映像信号の明るさの平均値に基づいて絞り１２１の開度を制御することから、入力される映像信号に対応して追従する応答性を確保しつつ、絞り部から出力される光量の安定性を確保することができる。
【００４９】
なお、本発明は、上記の各実施形態に限定されるものではなく、本発明の趣旨を逸脱しない範囲で変更可能である。本発明の絞り制御回路における、映像信号のレベル検出には、あらゆる種類のレベル検出方法が適用することもでき、レベル検出の周期は、フレーム周期に同期して行う以外にも、フィールド周期に設定したり、或いは、フレーム周期より長い時間を設定したりすることも可能である。
また、図３に例示した映像信号レベルの判定、及び、図４に例示した絞りを移動させるモーター速度の設定についても特に限定されるものではなく、他の定数を設定することも可能である。
【００５０】
上述のプロジェクター装置１００は内部に、コンピュータシステムを有している。そして、上述した絞り位置制御の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００５１】
１００  プロジェクター装置
１２１  絞り（絞り部）
１５０  映像処理部（絞り制御回路）
１５５  絞り制御部（制御部）
【図１】
2011007453.tif 000003
【図２】
2011007453.tif 000004
【図３】
2011007453.tif 000005
【図４】
2011007453.tif 000006
【図５】
2011007453.tif 000007
【図６】
2011007453.tif 000008
【国際調査報告】
2011007453.tif 000009
2011007453.tif 000010
2011007453.tif 000011
2011007453.tif 000012